(57)【要約】【課題】  ＩＣタグを発光ポスターや掲示板の所定の位置に簡単に固定することを可能とし、情報提供手段としてうまく利用することが出来るようにすること。【解決手段】  本発明に係るポスター装置は、ポスターと、ＩＣタグが表面に取り付けられる導光板とを備え、該ＩＣタグは、前記ポスターに表示されているＩＣタグ読み取り位置と前後に重なる位置に取り付けられていることを特徴とする。ＩＣタグは、取付け導光板に設けた碁盤目状の座標の軸の交点または枠の内部に設けておくのが好ましい。また、導光板の表面にレンチキュラー加工という特殊レンズ加工が施され、その表面にＩＣタグが設けられているのがこのましい。【選択図】図１
2017033517.tif 000002
【特許請求の範囲】
【請求項１】
ポスターと、ＩＣタグが表面に取り付けられる導光板とを備え、該ＩＣタグは、前記ポスターに表示されているＩＣタグ読み取り位置と前後に重なる位置に取り付けられていることを特徴とするポスター装置。
【請求項２】
ＩＣタグは、導光板に設けた碁盤目状の座標の軸の交点または枠の内部に設けられている請求項１に記載のポスター装置。
【請求項３】
導光板の表面にレンチキュラー加工という特殊レンズ加工が施され、その表面にＩＣタグが設けられている請求項１ないし２に記載のポスター装置。
【発明の詳細な説明】
【技術分野】
【０００１】  この発明は、ＩＣタグ（ＲＦＩＤ，電子タグ、ＲＦタグ等と呼ばれる）を用いるポスター装置に関するものである。
【背景技術】
【０００２】  例えばポスターに貼られたＩＣタグに携帯電話やスマートフォンをかざすだけでさまざまなデータを読み取ることが可能になっている。これは非接触式のＩＣタグにＩＣタグリーダー内蔵の携帯電話やスマートフォンを利用してプラウザやメーラの起動で情報を読み取る既存の方法を利用するものである。【０００３】  この方法は、豊富な情報を多数の利用者に伝えることが可能になり効果的であるが、すべてのポスターにＩＣタグを貼りつけるのはコストが高くなるという問題点があった。すなわち、ＩＣタグはバーコードのように印刷に適していないので、印刷した後にポスター１枚ごとに正確に位置決めして貼り付けなければならないうえ、ＩＣタグ自体のコストもかかるので、その分だけ既存ポスターと比較して大幅にコスト高になるという問題がある。この点、安価な印刷だけですむ２次元バーコードとは相違する。【０００４】  なお、ＩＣタグを商品の識別に利用しようとするものとして、特許文献に記載されているものがある。このものは、所定の商品を表示したポスターが添付されて固定位置に設置されたＩＣタグにかざすことでＩＣタグの位置情報を取得して管理サーバにするもので、ＩＣタグの位置情報に対応する表示画像を表示するものである。【０００５】  しかし、先行文献に記載のものは、ＩＣタグの位置情報を利用するものであるが、ＩＣタグとポスターの位置を正確かつ容易にきめるものではない。すなわち本願発明とは解決しようとする課題が相違するのである。【０００６】
【特許文献１】特開２０１３−１６１０９７号公報
【発明の開示】
【発明が解決しようとする課題】
【０００７】  この発明は、ＩＣタグをポスターや掲示板の所定の位置に簡単に固定することを可能とし、情報提供手段としてうまく利用することが出来るようにすることを課題としている。
【課題を解決するための手段】
【０００８】  上記課題を解決するため、本発明は次のような構成を採用した。すなわち、本発明に係るポスター装置は、ポスターと、ＩＣタグが表面に取り付けられる導光板とを備え、該ＩＣタグは、前記ポスターに表示されているＩＣタグ読み取り位置と前後に重なる位置に取り付けられていることを特徴とする。【０００９】ＩＣタグは、台材に設けた碁盤目状の座標の軸の交点または枠の内部に設けておくのが好ましい。  導光板の表面にレンチキュラー加工という特殊レンズ加工が施され、その表面にＩＣタグが設けられているのが好ましい。【００１０】  発光ポスターパネル装置の既存面発光技法として蛍光灯内照式、ＬＥＤ直下式、ＥＬ方式、およびエッジライト導光板式がある。何れの方法でもスマートフォンの密着型ＩＣタグを利用するにはＩＣタグの位置は前面に取り付けが理想になる。しかし、光源の前面にＩＣタグを設置すればＩＣタグのシルエットが避けられない。また、蛍光灯内照式、ＬＥＤ直下式は内部の高温環境でＩＣタグの長期利用は品質的にも懸念はされる。従って、本発明は既存面発光技法全タイプを対象とするがエッジライト導光板式（以下導光板式）の利用がもっとも好ましい。
【図面の簡単な説明】
【００１１】
【図１】発光ポスターパネル装置の外観図である。
【図２】発光ポスターパネル装置の正面図（ａ）および分解状態における側面図（ｂ）である。
【図３】上記と異なる発光ポスターパネル装置の正面図（ａ）および分解状態における側面図（ｂ）である。
【図４】ＩＣタグ取り付け位置の説明図である。
【図５】ＩＣタグの説明図である。
【発明を実施するための最良の形態】
【００１２】  以下、本発明の実施形態について説明する。ＩＣタグ取付け板は通常ＩＣタグのシルエットが表面に写らないように反射シート８と裏板９の間に位置するが、発光ポスターパネル装置の厚さによりスマートフォンで利用出来るＩＣタグとの距離に問題が生じる。そこで前面にＩＣタグ取り付け板を設置した場合、ＩＣタグのシルエットがポスターに写る防止策が重要になる。射出成形の導光板でレンチキュラー加工（表面凹凸加工で立体化加工）をすれば乳半板が不要でかつ透明のＩＣタグ取り付け板に貼ったＩＣタグの判別が正面から判別しにくい。以下、導光板式で前面利用した場合を前提で説明を続ける。【００１３】  この発光ポスター装置１は、額縁状の枠２の内側に導光板とＩＣ取付け板の台材が保持されている。駅等に貼られているポスターは定形のものが多いので、台紙もポスターも定形品で同寸のものを利用すれば便利である。【００１４】  この発光ポスターパネル装置の構成を具体的に説明すれば、つぎのとおりである。まず、額縁状の枠２の内側に印刷ポスター（表示用のメデア）を保持する保護用の透明板３が設けられている。透明板３の裏側にはＩＣ取付け板４（台材）が設けられ、この透明板３とＩＣ取付け板４の隙間に印刷ポスター５が保持されるようになっている。【００１５】  ＩＣタグ取付け板４の内側には導光板ユニット６（導光板とエッジライトとしてのＬＥＤがユニットになっている面発行体）が設けられている。そしてその後ろ側には反射シート８が設けられている。これは、導光板の光が前面に出るようにするための反射用のシートである。そしてその後ろ側に壁などに対する取付け機能を持たせた裏板９が設けられている。【００１６】  つぎに、図３は上記と異なる実施形態を表すもので、この実施形態では透明板の後ろに乳半板３‘が設けられていて、その後ろにＩＣ取付け板４が設けられている。ポスターは透明板３と乳白版３’の間に差し込む。また乳白板３‘とＩＣタグ取り付け板４は図示例と逆にしても良い。一般の導光板は反射板の加工傷が非常に目立つので、それを光拡散するための乳半板という板（例えば厚さ２ｍｍ〜３ｍｍの板）を用いて光拡散する。また、ＩＣタグと取り付け部分がポスターの美観を損なうので、同様に乳半板の後ろ側に置くことになる。前図でこの乳半板を省略しているのは、導光板ユニットに使用する特殊導光板が、すでに非常にきめ細かな散乱光となるように構成されているため、乳半板が不要であるからである。すなわち、導光板の表面にレンチキュラーという特殊レンズ加工が施してあるものを使用するからである。【００１７】  ＩＣタグは、あらかじめ表示されている位置（たとえば碁盤目状のケイ線の交点や枠内）に配置するのがよい。碁盤目状の交点は縦横に多数あるが、全ての交点にＩＣタグを設けておいても、よく場合によっては適当な複数か所に設けておいてもよい。碁盤目状の交点に配置する代わりに升目にそれぞれ配置してもよい。要は、ポスターの見やすい位置にＩＣタグが取付けられるようにすればよい。なお不要なＩＣタグは検出の邪魔にならないように機能を停止しておくのが望ましい。【００１８】  ＩＣタグの設置数が多いほうがＩＣタグの読み取り位置１１をポスターの紙面上で���ろいろと選択できるので、ポスターのデザインに対する自由度が多くなる。したがって、全ての交点またはすべての升目に配置しておくのが基本であるが、コスト削減のために場合によっては利用頻度が高いと予測される適当な数か所に設けておいてもよい。しかしながら、場合によっては特定の個所に数個、例えば１個だけ設けておいてもよい。いずれの場合も、ＩＣタグを固定する位置を一言で表せるようにしておけば便利である。ポスターの印刷時にＩＣタグの位置とポスターのタッチ位置（読み取りタッチマーク位置）１１とが重なる必要があるが、この点はＩＣタグの取り付け位置をポスターデザイナー等にあらかじめ知らせておくことで問題はない。【００１９】  このためには、ＩＣタグ取り付け位置を座標化し、座標で表すのが便利である。図５はこれをあらわすもので、碁盤目状に設けられている縦線を１，２，３，横線をａ，ｂ，ｃ，，，とすると、それぞれの位置を２−ｃ、３−ｂ、という具合にあらわすのが好ましい。ポスターの種類は、ＩＣタグを貼り付ける有効位置によって、例えば３−ｂという具合に呼ぶことにすれば間違いが防げる。なお、ポスターの取り付け位置は縦も横も１ｃｍ間隔で表すのが好ましい。【００２０】  ポスターデザインは無限であり、ポスターには様式番号とＩＣの設置位置を表示する番号（座標）とを表示しておく。たとえば、Ｐ−１３Ｂ１５−ｄという具合である。このうち、Ｐ−１３はポスターの種類を表す番号であり、例えば島並み街道のポスター、Ｂ１５はポスターの規格寸法、１５−ｄはＩＣの検知に必要な有効位置（ポスターのデザインよって決まっている）をそれぞれ表す。ポスターのデザインが決まればそれに適したＩＣの位置も決まるので、それがキチンと台紙の位置と重なるようにポスターをデザインする。【００２１】  額縁状の枠２は、ポスター５の周縁部分を重ねて固定している。発光ポスターは規格品であり、取付け板と同寸法であるから、ポスターを選択することにより、必然的にＩＣタグの有効取り付け位置とポスターの読み取り位置が重なることになる。【００２２】  この固定状態では、前述のごとく、ポスター５の有効ＩＣ用読み取り位置（マーク）と取付け板のＩＣタグが重なりあう。このためＩＣタグの情報を携帯電話等のリーダで読み取ることが出来るのである。ポスターのデザインによっては紙面の他の位置にＩＣ用読み取り位置が位置するようにすることが可能である。【００２３】  発光ポスターパネル装置１が完成したら、管理者はＩＣによって誘導されるＷｅｂが目的とするものＵＲＬとなるようにパソコンをセットする。該当するもの以外の利用しないＩＣタグはＯＦＦとしておくのが好ましい。【００２４】  異なったポスターに対応位置のＩＣタグＷｅｂ誘導先（ＵＲＬ）変更方法は、既存の手段でおこなうことができる。例えばポスター台に貼り付けているＩＣタグはすべて管理者のパソコンに誘導されて、管理者のパソコン内でＩＣタグＷｅｂアドレス変更を行う。ポスター番号とポスター装置番号と各ポスター装置内のＩＣタグ位置番号とポスターデザインごとのＷｅｂ誘導先アドレスが明確になれば、管理者はパソコンでポスターに対応するＷｅｂの切り替えが簡単に可能となる。このシステムやプ���グラムは、すでに公開されている手段で説明は省略する。【００２５】  ポスター５は、デザインによってマーク位置が種々変化する。本発明でＩＣタグ１０の取り付け位置を多くしているのはこのためである。ポスターのデザインが変化してＩＣタグの取り付け位置が変化してもタッチマーク１１近くのＩＣタグがうまく対応することができる。ＩＣタグの取り付け位置はこれにかぎらず広範囲に選択できるようにしておけばよい。【００２６】  このポスターは、ＩＣタグのセット位置が公開されるので、中小の印刷業者でも問題なく対応可能となる。【００２７】  ＩＣタグの配置方法は種々考えられ、一つの実施形態では、同心円上にＩＣタグが所定の間隔で設けられている。ＩＣタグの配列方式はこれに限らず他の方式を採用することができる。この場合も、ＩＣタグの取り付け位置さえわかっていれば問題はない。【００２８】  この発光ポスターパネル装置は、発光体で表示されるので目につきやすい。ポスター自身にデザインを施して、種々の案内等に利用することが出来るが、このほかに別途用意されている情報、たとえば道順や旅館情報を携帯電話等のリーダでＩＣタグを介して読み取ることができる。この操作はリーダをマークにかざすだけでよいので簡単である。たとえばこの発光ポスターパネル装置は縦型であるが紙面が横向きになるように、横向きの表示装置として使用することもできる。例えば、テーブル上広げた地図を防災地図として利用できる。【００２９】  防災対策図は、緊急時に防災対策本部、市町村、自衛隊、警察、消防関係等が利用する（例えば代表的なシステムにＮコードと呼ばれるシステムがある）が防災対策図の下にＮコードと同サイズのメッシュ枠にＩＣタグを貼り付けた台紙を下敷きにすれば防災対策図の図面メッシュ個所をリーダで軽くタッチするだけで指定個所がパソコン画面に表示されてパソコンに災害情報等の入力や書き換えが簡単にできる。【００３０】  本発明によれば、ポスターの印刷の際に、あらかじめ定められたＩＣタグの固定位置にポスターの読み取り位置を示すマークが位置するようにデザインされているので、特別な配慮を必要とせずＩＣタグとポスターのマークを重ね合わすことができる。このため、特別な配慮をしなくともＩＣタグを利用して情報を得ることができる。また、２次元バーコードと同様に印刷だけですむので、中小の印刷業者でも問題なく対応が可能となる。【００３１】  以上に説明したように、本発明に係る発光ポスターパネル装置は、ＩＣタグを所定の位置に貼り付けたポスターを簡単かつ正確に用意することが可能となった。このポスターをポスターの掲示板や広告に利用することが出来ることは言うまでもない。
【符号の説明】１          ポスター装置
２          枠
５          ポスター
１０        ＩＣタグ１２
【図１】
2017033517.tif 000003
【図２】
2017033517.tif 000004
【図３】
2017033517.tif 000005
【図４】
2017033517.tif 000006
【図５】
2017033517.tif 000007